(57)【要約】【課題】内部に配管スペースと引き出し収納部とを備えた収納キャビネットの配管可能範囲の自由度を高めつつ、外観性に優れたシステムキッチン及びその配管方法を提供する。【解決手段】システムキッチン５０は、シンク３及び引出し収納部４を有する第１収納キャビネット１と、第１収納キャビネット１に隣接して設置され前面の下部に扉５９を有する第２収納キャビネット５１とを備える。第１収納キャビネット１の第１底板１４と設置台１１との間に嵩上げ部材１３を配置し、嵩上げ部材１３の高さ寸法Ｈ３は、第１底板１４よりも下方において立ち上げ管部４１に接続する第２の配管を奥側の配管スペースＳ１に向かって配設可能な配管スペースＳ２が形成される寸法に設定されている。第２収納キャビネット５１は、第１底板１４よりも低い位置に配置された第２底板６０を有し、前面扉６の下端６ａは、扉５９の下端５９ａと同じ高さ位置に形成されている。【選択図】図１
2018114073.tif 000002
【特許請求の範囲】
【請求項１】
上部に設けられたシンク、及び下部に設けられた引出し収納部を有し、前記引出し収納部よりも奥側に、前記シンクに接続する第１の配管を配設するための第１の配管スペースが形成されている第１収納キャビネットと、
前記第１収納キャビネットに隣接して設置され、前面の下部に扉を有する第２収納キャビネットと、を備えたシステムキッチンであって、
前記第１収納キャビネットは、
前記引出し収納部の下方に配置された第１底板と、
前記第１底板よりも下方において床面に設置される設置台と、
前記設置台の上方に配置され、前記第１底板を嵩上げする嵩上げ部材と、を備え、
前記嵩上げ部材の高さ寸法は、前記第１底板よりも下方において、当該第１底板に対応する前後方向範囲に位置する立ち上げ管部に接続する第２の配管を、前記第１の配管スペースに向かって配設可能な第２の配管スペースが形成される寸法に設定されており、
前記第２収納キャビネットは、前記第１底板よりも低い位置に配置された第２底板を有し、
前記前面扉の下端は、前記第２収納キャビネットの前記扉の下端と同じ高さ位置に形成されている、システムキッチン。
【請求項２】
前記立ち上げ管部が前記第２の配管スペースに位置する場合には、
前記第１の配管は、上端部が前記シンクに接続され、前記第１の配管スペースを上下方向に通過する１又は複数の管部よりなり、
前記第２の配管は、後端部が前記第１の配管の下端部に接続され、前記第２の配管スペースを前後方向に通過し、前端部が前記立ち上げ管部に接続された１又は複数の管部よりなる、請求項１に記載のシステムキッチン。
【請求項３】
前記立ち上げ管部が前記第１の配管スペースに位置する場合には、
前記第１の配管は、上端部が前記シンクに接続され、前記第１の配管スペースを上下方向に通過し、下端部が前記立ち上げ管部に接続された１又は複数の管部よりなり、
前記第２の配管スペースは、前記第２の配管の配設に使用されない空きスペースとなっている、請求項１に記載のシステムキッチン。
【請求項４】
請求項１に記載のシステムキッチンの配管方法であって、
前記立ち上げ管部が前記第２の配管スペースに位置する場合には、
前記第１の配管と前記第２の配管とを用いて、前記シンクと前記立ち上げ管部との間を配管し、
前記立ち上げ管部が前記第１の配管スペースに位置する場合には、
前記第１の配管を用いて、前記シンクと前記立ち上げ管部との間を配管し、前記第２の配管スペースを、前記第２の配管の配設に使用されない空きスペースとする、システムキッチンの配管方法。
【発明の詳細な説明】
【技術分野】
【０００１】
本発明は、システムキッチン及びその配管方法に関する。
【背景技術】
【０００２】
近年、キッチンシステムを構成する複数の収納キャビネットのうち、シンクが上部に設けられた収納キャビネットは、その内部に引出し収納部を設けたものが主流となっている。このため、引出し収納部が、床面から立ち上がる排水管などの配管と干渉しないように、収納キャビネットの引出し収納部よりも奥側に配管を配設するための配管スペースが設けられている（例えば、特許文献１参照）。
【０００３】
図６は、従来のシンク１０２を備えた収納キャビネット１００の断面図である。この収納キャビネット１００は、その下部に引出し収納部１０１が前後方向にスライド可能に支持されている。引出し収納部１０１の下方には底板１０５が配置されており、引出し収納部１０１は、その前面扉１０７の下端部が底板１０５の前端部１０８に当接するようになっている。また、収納キャビネット１００には、引出し収納部１０１よりも奥側に、シンク１０２に接続される排水管１０３を配設する配管スペースＳが設けられている。排水管１０３の下端は、配管スペースＳの下方の床面から立ち上がる立ち上げ管部１０４に接続されている。
【先行技術文献】
【特許文献】
【０００４】
【特許文献１】特開２００５−３２８８５７号公報
【発明の概要】
【発明が解決しようとする課題】
【０００５】
前記収納キャビネット１００をマンションや戸建て住宅をリフォームして設置する場合、床面から既に立ち上がっている立ち上げ管部をそのまま利用したいという要望がある。しかし、リフォーム前のシンクを備えた収納キャビネットは、引出し収納部を備えていないものが多いため、その内部の中央部付近の床面から立ち上げ管部が立ち上がっているケースが多い。
【０００６】
このため、このようなケースにおいて、収納キャビネット１００の底板１０５の下方には、床面に設置された設置台１０６の高さ分だけ空いているスペースＫに、立ち上げ管部から後方に引き回して配管１０３の下端部に接続する接続配管を配設することになる。しかし、スペースＫには、前記接続配管を配設するための十分な高さが確保されていないため、前記接続配管を配設することができず、収納キャビネットを設置することができない。
【０００７】
そこで、前記接続配管を配設することができるように、設置台１０６を高く形成することによって、スペースＫの高さｈ１を高くすることが考えられる。しかし、この場合には、設置台１０６が高く形成されることで、その上方に配置される底板１０５の前端部１０８の位置が高くなり、この前端部１０８に当接する前面扉１０７の下端１０７ａの位置も高くなるので、以下のような問題が生じる。
【０００８】
収納キャビネット１００に隣接して設置される他の収納キャビネットは、その内部の収納スペースをできるだけ広くするために、設置台を低く形成することによって、底板の位置を低くしたものが主流となっている。つまり、前記他の収納キャビネットは、設置台を低く形成しているので、その上方に配置される底板１０５の前端部１０８に当接する引出し収納部の前面扉の下端の位置を低くしたものが主流となっている。
【０００９】
このため、上記のように、収納キャビネット１００の設置台１０６を高く形成すると、その収納キャビネット１００の引出し収納部１０１における前面扉１０７の下端１０７ａが、隣接する他の収納キャビネットの引出し収納部における前面扉の下端よりも高くなり、システムキッチン全体の外観が損なわれるという問題があった。
本発明は、このような事情に鑑みてなされたものであり、内部に配管スペースと引き出し収納部とを備えた収納キャビネットの配管可能範囲の自由度を高めつつ、外観性に優れたシステムキッチン及びその配管方法を提供することを目的とする。
【課題を解決するための手段】
【００１０】
（１）本発明のシステムキッチンは、上部に設けられたシンク、及び下部に設けられた引出し収納部を有し、前記引出し収納部よりも奥側に、前記シンクに接続する第１の配管を配設するための第１の配管スペースが形成されている第１収納キャビネットと、前記第１収納キャビネットに隣接して設置され、前面の下部に扉を有する第２収納キャビネットと、を備えたシステムキッチンであって、前記第１収納キャビネットは、前記引出し収納部の下方に配置された第１底板と、前記第１底板よりも下方において床面に設置される設置台と、前記設置台の上方に配置され、前記第１底板を嵩上げする嵩上げ部材と、を備え、前記嵩上げ部材の高さ寸法は、前記第１底板よりも下方において、当該第１底板に対応する前後方向範囲に位置する立ち上げ管部に接続する第２の配管を、前記第１の配管スペースに向かって配設可能な第２の配管スペースが形成される寸法に設定されており、前記第２収納キャビネットは、前記第１底板よりも低い位置に配置された第２底板を有し、前記前面扉の下端は、前記第２収納キャビネットの前記扉の下端と同じ高さ位置に形成されている。
【００１１】
本発明によれば、第１収納キャビネットを設置するときに、立ち上げ管部が引出し収納部よりも下方の第２の配管スペースに位置する場合には、第２の配管スペースにおいて立ち上げ管部に接続する第２の配管を第１の配管スペースに向かって配設することで、立ち上げ管部を、第２の配管、及び第１の配管スペースに配設された第１の配管を介してシンクに接続することができる。これにより、立ち上げ管部とシンクとを接続する第１及び第２の配管を引出し収納部と干渉することなく第１収納キャビネットの内部に配設することができる。
【００１２】
また、第１収納キャビネットを設置するときに、立ち上げ管部が引出し収納部よりも奥側の第１の配管スペースに位置する場合には、第１の配管スペースに第１の配管を配設することで、立ち上げ管部を、第１の配管を介してシンクに接続することができる。これにより、立ち上げ管部とシンクとを接続する第１の配管を引出し収納部と干渉することなく第１収納キャビネットの内部に配設することができる。したがって、立ち上げ管部の立ち上げ位置が異なっていても、上記のように配管することで、第１収納キャビネットの設置場所の配管可能範囲を高めることができる。
【００１３】
さらに、第１収納キャビネットにおいて、設置台の上方に第１底板を嵩上げする嵩上げ部材を配置し、その嵩上げ部材の高さ寸法を、前記第２の配管スペースが形成される寸法に設定し、引出し収納部の前面扉の下端を、第２収納キャビネットの扉の下端と同じ高さ位置に形成したので、第１収納キャビネットを、その第１底板よりも低い位置に配置された第２底板を有する第２収納キャビネットに隣接して設置しても、第１収納キャビネットにおける引出し収納部の前面扉の下端を、第２収納キャビネットにおける扉の下端と同じ高さに配置することができる。これにより、システムキッチン全体の外観を向上させることができる。
【００１４】
（２）前記立ち上げ管部が前記第２の配管スペースに位置する場合には、前記第１の配管は、上端部が前記シンクに接続され、前記第１の配管スペースを上下方向に通過する１又は複数の管部よりなり、前記第２の配管は、後端部が前記第１の配管の下端部に接続され、前記第２の配管スペースを前後方向に通過し、前端部が前記立ち上げ管部に接続された１又は複数の管部よりなるのが好ましい。
【００１５】
この場合、第１の配管スペースにおいて上端部がシンクに接続された第１の配管の管部の下端部と、第２の配管スペースにおいて前端部が立ち上げ管部に接続された第２の配管の管部の後端部とを接続することで、立ち上げ管部を、第２の配管の管部、及び第１の配管の管部を介してシンクに接続することができる。これにより、立ち上げ管部とシンクとを接続する第１及び第２の配管の管部を引出し収納部と干渉することなく第１収納キャビネットの内部に配設することができる。
【００１６】
（３）前記立ち上げ管部が前記第１の配管スペースに位置する場合には、前記第１の配管は、上端部が前記シンクに接続され、前記第１の配管スペースを上下方向に通過し、下端部が前記立ち上げ管部に接続された１又は複数の管部よりなり、前記第２の配管スペースは、前記第２の配管の配設に使用されない空きスペースとなっているのが好ましい。
この場合、立ち上げ管部を、第１の配管の管部を介してシンクに接続することができる。これにより、立ち上げ管部とシンクとを接続する第１の配管の管部を引出し収納部と干渉することなく第１収納キャビネットの内部に配設することができる。
【００１７】
（４）他の観点からみた本発明は、上記（１）に記載のシステムキッチンの配管方法であって、前記立ち上げ管部が前記第２の配管スペースに位置する場合には、前記第１の配管と前記第２の配管とを用いて、前記シンクと前記立ち上げ管部との間を配管し、前記立ち上げ管部が前記第１の配管スペースに位置する場合には、前記第１の配管を用いて、前記シンクと前記立ち上げ管部との間を配管し、前記第２の配管スペースを、前記第２の配管の配設に使用されない空きスペースとする。
本発明によれば、上記（１）のシステムキッチンと同様の作用効果を奏する。
【発明の効果】
【００１８】
本発明によれば、内部に配管スペースと引き出し収納部とを備えた収納キャビネットの配管可能範囲の自由度を高めることができ、かつシステムキッチン全体の外観を向上させることができる。
【図面の簡単な説明】
【００１９】
【図１】本発明の一実施形態に係るシステムキッチンが備える第１収納キャビネットの断面図であり、床面から立ち上がる立ち上げ管部が第２の配管スペースに存在する場合を示す図である。
【図２】床面から立ち上がる立ち上げ管部が第１の配管スペースに存在する場合を示す第１収納キャビネットの断面図である。
【図３】システムキッチンの正面図である。
【図４】延長板の変形例を示す断面図である。
【図５】延長板の他の変形例を示す断面図である。
【図６】従来の収納キャビネットの断面図である。
【発明を実施するための形態】
【００２０】
次に、本発明の好ましい実施形態について添付図面を参照しながら説明する。
図１は、本発明の一実施形態に係るシステムキッチンが備える第１収納キャビネットの断面図である。この第１収納キャビネット１は、例えばシステムキッチンに用いられるものであり、床面Ｆに設置されるキャビネット本体２と、このキャビネット本体２の上部に設けられたシンク３と、キャビネット本体２の下部に設けられた引出し収納部４とを備えている。
【００２１】
キャビネット本体２は、設置台１１、側面板１２、延長板１３、底板（第１底板）１４、後部垂直板１５、後部水平板１６、背面板１７、前面板１９、及び幕板２０によって構成されている。設置台１１は、床面Ｆ上に立設された側板部１１ａ及び前板部１１ｂからなり、この設置台１１上に側面板１２が立設されている。
【００２２】
側面板１２の下端部の前側には、延長板１３が固定されている。延長板１３の上端面には、底板１４の前端部に形成された折り曲げ部１４ａが載置して固定されている。底板１４の後端部に形成された折り曲げ部１４ｂは、側面板１２に支持されている。底板１４の中間部に形成された平板部１４ｃは、引出し収納部４の下方に配置されている。なお、側面板１２の下端部の後側には、後部垂直板１５及び後部水平板１６に沿うように切欠部１２ａが形成されている。
【００２３】
側面板１２及び背面板１７の各上端面には、天板７が載置されて固定されており、天板７にはシンク３の上端部が固定されている。天板７の前端部の下方には、前面板１９が側面板１２に固定されている。前面板１９の前面には幕板２０が固定されている。
【００２４】
キャビネット本体２のシンク３の下方には、引出し収納部４が配置されている。引出し収納部４は、上側が開口された箱部５と、この箱部５の前面に固定された前面扉６とを有している。箱部５は、その底面５ａが底板１４の平板部１４ｃの上面に近接して配置された状態で、側面板１２に対して前後方向にスライド可能に支持されている。また、箱部５の背面５ｂは、当該箱部５をキャビネット本体２内に格納した状態で、後部垂直板１５よりも前方に配置されている。
【００２５】
前面扉６の上端は、幕板２０の下端付近まで上方に延びて形成されている。また、前面扉６の下端６ａは、延長板１３の下端部の前方位置まで下方に延びて形成されている。これにより、前面扉６の下端部の裏面が延長板１３の前面に当接するとともに、前面扉６の左右両端部の裏面が側面板１２の前端面に当接することで、キャビネット本体２内に格納された箱部５がさらに奥側へ移動するのを規制することができる。なお、本実施形態では、前面扉６の裏面が、延長板１３及び側面板１２に当接するようになっているが、側面板１２のみに当接するものであってもよい。
【００２６】
シンク３の底面には、図示しない排水口を有する排水装置３１が設けられており、この排水装置３１には、床面Ｆから立ち上がる排水管４０が接続されている。キャビネット本体２には、この排水管４０を配設するための、第１の配管スペースＳ１および第２の配管スペースＳ２が形成されている。
【００２７】
第１の配管スペースＳ１（以下、単に「配管スペースＳ１」ともいう）は、排水管４０を上下方向に配設するためにスペースであり、キャビネット本体２の引出し収納部４よりも奥側に形成されている。具体的には、配管スペースＳ１は、後部垂直板１５の後面から背面板１７の前面までの前後方向範囲に形成され、かつ床面Ｆから排水装置３１の後方の高さ位置までの高さ方向範囲に形成されている。
【００２８】
第２の配管スペースＳ２（以下、単に「配管スペースＳ２」ともいう）は、床面Ｆから突出した排水管４０を配管スペースＳ１に向かって前後方向に配設することが可能な高さＨ１を有するスペースであり、底板１４の下方に形成されている。具体的には、配管スペースＳ２は、床面Ｆから底板１４の折り曲げ部１４ａ（１４ｂ）の下面までの高さ方向範囲に形成され、かつ前板部１１ｂの後面から折り曲げ部１４ｂの後面の下方位置までの前後方向範囲に形成されている。
【００２９】
これにより、配管スペースＳ２の床面Ｆからの高さＨ１は、延長板（嵩上げ部材）１３の高さ寸法Ｈ３分だけ、従来の収納キャビネット（図６参照）におけるスペースＫの床面Ｆからの高さｈ１よりも高くなっている。すなわち、嵩上げ部材１３の高さ寸法Ｈ３は、配管スペースＳ２が形成される寸法に設定されている。
【００３０】
なお、嵩上げ部材は、本実施形態の延長板１３に限定されるものではなく、これに替えて又はこれに加えて他の部材を用いてもよい。例えば、本実施形態の延長板１３は、底板１４と別体に設けられているが、従来の収納キャビネットと同様に、底板１４と一体に形成されていてもよい。具体的には、図４に示すように、底板１４の折り曲げ部１４ａを下方に延長し、その延長部分を延長板１３としてもよい。
【００３１】
また、本実施形態の延長板１３は、底板１４の下方に配置されているが、図５に示すように、底板１４の平板部１４ｃの前後方向の長さを短くし、延長板１３の上端面を底板１４の上面と同じ高さ位置となるまで延長してもよい。この場合、延長板１３の背面に底板１４の折り曲げ部１４ａを固定すればよい。これにより、配管スペースＳ２の床面Ｆからの高さＨ１は、延長板１３の高さ寸法Ｈ３から底板１４の高さ寸法を差し引いた分だけ、従来の収納キャビネット（図６参照）におけるスペースＫの床面Ｆからの高さｈ１よりも高くなっている。すなわち、嵩上げ部材（延長板）１３の高さ寸法Ｈ３は、配管スペースＳ２が形成される寸法に設定されている。
【００３２】
以上の構成により、図１に示すように、第１収納キャビネット１を床面Ｆに設置するときに、床面Ｆから立ち上がる排水管４０の立ち上げ管部４１の上方に引出し収納部４が配置される場合には、排水管４０の各管部４２〜４６を以下のように配設する。すなわち、底板１４よりも下方に形成された配管スペースＳ２において直管部４２を前後方向に配設し、この直管部４２の一端部（前端部）をエルボ管部４３を介して前記立ち上げ管部４１に接続する。
【００３３】
次に、直管部４２の他端部（後端部）を、配管スペースＳ１において、エルボ管部４４を介して、後部水平板１６を貫通して上下方向に配設された直管部４５の下端部に接続する。そして、この直管部４５の上端部をエルボ管部４６等を介して排水装置３１に接続する。これにより、排水管４０の各管部４２〜４６を引出し収納部４と干渉することなくキャビネット本体２の内部に配設することができる。
【００３４】
図１に示す排水管４０の場合、エルボ管部４４、直管部４５及びエルボ管部４６は、配管スペースＳ１において、上端部がシンク３に接続される第１の配管を構成している。また、図１に示す排水管４０の場合、直管部４２及びエルボ管部４３は、配管スペースＳ２において、前端部が立ち上げ管部４１に接続される第２の配管を構成している。なお、図１では、第１の配管及び第２の配管は、複数の管部により構成されているが、単一の管部により構成されていてもよい。
【００３５】
一方、図２に示すように、第１収納キャビネット１を床面Ｆに設置するときに、床面Ｆから立ち上がる立ち上げ管部４１が引出し収納部４よりも奥側の配管スペースＳ１に配置される場合には、排水管４０の各管部４８，４９を以下のように配設する。すなわち、配管スペースＳ１において、直管部４８を後部水平板１６を貫通して上下方向に配置し、この直管部４８の下端部を立ち上げ管部４１に接続する。そして、直管部４８の上端部をエルボ管部４９等を介して排水装置３１に接続する。これにより、排水管４０の各管部４８〜４９を引出し収納部４と干渉することなくキャビネット本体２の内部に配設することができる。
【００３６】
図２に示す排水管４０の場合、直管部４８及びエルボ管部４９は、配管スペースＳ１において、上端部がシンク３に接続されるとともに、下端部が立ち上げ管部４１に接続される第１の配管を構成している。また、図２における配管スペースＳ２は、第２の配管の配設に使用されない空きスペースとなっている。なお、図２では、第１の配管は、複数の管部により構成されているが、単一の管部により構成されていてもよい。
【００３７】
以上、本実施形態の第１収納キャビネット１によれば、キャビネット本体２に第１の配管スペースＳ１と第２の配管スペースＳ２とが形成されているので、図１及び図２に示すように、床面Ｆにおける立ち上げ管部４１の立ち上げ位置が異なっていても、排水管４０を引出し収納部４と干渉することなくキャビネット本体２の内部に配設することことができる。これにより、第１収納キャビネット１の配管可能範囲の自由度を高めることができる。
【００３８】
図３は、本実施形態のシステムキッチン５０の正面図である。このシステムキッチン５０は、上記第１収納キャビネット１と、この第１収納キャビネット１に隣接して配置された第２収納キャビネット５１と、上記天板７と備えている。第２収納キャビネット５１は、例えば、第１収納キャビネット１のキャビネット本体２の右側に隣接して床面Ｆに設置されたキャビネット本体５２と、このキャビネット本体５２の上下方向に設けられた複数の引出し収納部５３，５４，５５とを備えている。天板７は、第１及び第２収納キャビネット１，５１のキャビネット本体２，５２の上部に取り付けられている。
【００３９】
各引出し収納部５３，５４，５５は、キャビネット本体５２内に格納された箱部（図示省略）と、その箱部の前面に固定された扉５７，５８，５９とを有している。これにより、扉５７，５８，５９は、キャビネット本体５２の前面開口における上部、中央部、及び下部にそれぞれ配置されている。
【００４０】
なお、第２収納キャビネット５１は、少なくとも最下段の引出し収納部５５を備えていればよい。また、第２収納キャビネット５１は、引出し収納部５３〜５５を備えているが、これらに替えてキャビネット本体５２の前面に扉を備えていてもよい。この場合、扉は、キャビネット本体５２の前面の少なくとも下部に設けられていればよい。また、第２収納キャビネット５１のキャビネット本体５２は、第１収納キャビネット１のキャビネット本体２の左側に隣接して設置されていてもよい。
【００４１】
最下段に配置された引出し収納部５５の箱部の下方には、底板（第２底板）６０が配置されている。この底板６０は、キャビネット本体５２内の収納スペース（引出し収納部５３〜５５の箱部が格納されるスペース）を広くするために、第１収納キャビネット１の底板１４よりも低い位置に配置されている。具体的には、床面Ｆから底板６０の上面までの高さｈ４は、床面Ｆから底板１４の上面までの高さＨ４よりも低く設定されている。
【００４２】
第１収納キャビネット１における引出し収納部４の前面扉６の下端６ａは、床面Ｆから高さＨ２の位置に形成されており、第２収納キャビネット５１における最下段の第２引出し収納部５５の扉５９の下端５９ａは、床面Ｆから高さｈ２の位置に形成されている。そして、前記高さＨ２は、前記高さｈ２と同じ高さに設定されている。
【００４３】
これにより、第１収納キャビネット１を、その底板１４よりも低い位置に配置された底板６０を有する第２収納キャビネット５１に隣接して設置しても、第１収納キャビネット１における引出し収納部４の前面扉６の下端６ａを、第２収納キャビネット５１における引出し収納部５５の扉５９の下端５９ａと同じ高さ位置にすることができる。これにより、システムキッチン５０全体の外観を向上させることができる。
【００４４】
なお、今回開示した実施形態は例示であって制限的なものではない。本発明の権利範囲は特許請求の範囲によって示され、特許請求の範囲の構成と均等の範囲内での全ての変更が含まれる。例えば、本実施形態の引出し収納部４は、箱部５を備えている場合について説明したが、この箱部５に替えてビルトインタイプの食器洗い機を備えたものにも適用することができる。この場合、食器洗い機に接続される排水管を配管スペースＳ１，Ｓ２に配設することで、当該排水管を引出し収納部４と干渉することなくキャビネット本体２の内部に配設することができる。
【符号の説明】
【００４５】
１  第１収納キャビネット
３  シンク
４  引出し収納部
６  前面扉
６ａ  下端
１１  設置台
１３  延長板（嵩上げ部材）
１４  底板（第１底板）
４１  立ち上げ管部
４２  直管部（第２の配管）
４３  エルボ管部（第２の配管）
４４  エルボ管部（第１の配管）
４５  直管部（第１の配管）
４６  エルボ管部（第１の配管）
４８  直管部（第１の配管）
４９  エルボ管部（第１の配管）
５０  システムキッチン
５１  第２収納キャビネット
５９  扉
５９ａ  下端
６０  底板（第２底板）
Ｈ３  高さ寸法
Ｓ１  第１の配管スペース
Ｓ２  第２の配管スペース
【図１】
2018114073.tif 000003
【図２】
2018114073.tif 000004
【図３】
2018114073.tif 000005
【図４】
2018114073.tif 000006
【図５】
2018114073.tif 000007
【図６】
2018114073.tif 000008